(57)【要約】本発明は複数表示素子を連結して一つの大画面を実現するマルチディスプレイ装置に関する。マルチディスプレイ装置は、一辺が相互引接配置されて一つの大画面を具現する少なくとも二つの平板表示素子２，４、前記平板表示素子２，４を各々受納支持するパネルハウジング２０，４０、そして、前記平板表示素子２，４から出射される表示光Ｌを接境部の中心側に屈折させて画面の非表示領域を最小化或いは除去する光補償手段１４とからなる。
2004510186.tif 000002
【特許請求の範囲】
【請求項１】
一辺が相互引接配置されて一つの大画面を具現する少なくとも二つの平板表示素子；
前記平板表示素子を各々受納支持するパネルハウジング；そして
前記平板表示素子から出射される表示光を接境部の中心側に屈折させて画面の非表示領域を最小化或いは除去する光補償手段とからなるマルチディスプレイ装置。
【請求項２】
前記光補償手段により屈折された両平板表示素子の表示光は接境部の中心の延長線上で互いに会うように構成されることを特徴とする請求項１記載のマルチディスプレイ装置。
【請求項３】
前記光補償手段と両平板表示素子の表示光が会う地点の間に空間若しくは導光板を設けることを特徴とする請求項２記載のマルチディスプレイ装置。
【請求項４】
前記両平板表示素子の表示光が会う地点に拡散板を設けることを特徴とする請求項２記載のマルチディスプレイ装置。
【請求項５】
前記両平板表示素子の表示光の屈折地点から互いに会う地点までの距離Ｂは、Ｂ＝Ａ／ｔａｎθであることを特徴とする請求項１記載のマルチディスプレイ装置。
（但し、Ａ＝０．１〜３ｍｍ（Ａは一つの平板表示素子の非表示領域）、θ＝５〜８５°である）
【請求項６】
前記光補償手段は平板表示素子の画面に対して所定の角度の傾斜面を形成した透光屈折部材であることを特徴とする請求項１記載のマルチディスプレイ装置。
【請求項７】
前記平板表示素子で液晶表示素子を用いる時、光補償手段により補償された表示光の経路と偏光板の偏光軸が一致するように構成したことを特徴とする請求項１記載のマルチディスプレイ装置。
【請求項８】
前記光補償手段は各々の平板表示素子の上部に対称構造で設けることを特徴とする請求項１記載のマルチディスプレイ装置。
【請求項９】
前記光補償手段は平板表示素子の画面と接境部の側面を覆って保護するように構成されることを特徴とする請求項８記載のマルチディスプレイ装置。
【請求項１０】
前記平板表示素子の画面と接境部の側面部分を少なくとも覆ってカバーする透明保護部材をさらに設けることを特徴とする請求項８記載のマルチディスプレイ装置。
【請求項１１】
前記パネルハウジングは平板表示素子の一辺が互いに接するように少なくとも一辺を截取して開口を形成することを特徴とする請求項１記載のマルチディスプレイ装置。
【請求項１２】
前記パネルハウジングは平板表示素子を受納するハウジングボディーと、前記平板表示素子を乗せるように形成された台部と、前記平板表示素子の周りの非表示領域を覆う上部カバーを含むことを特徴とする請求項１記載のマルチディスプレイ装置。
【請求項１３】
前記パネルハウジングが折れたり、少なくとも１８０°で広がるように連結支持する折り畳み支持手段を含むことを特徴とする請求項１記載のマルチディスプレイ装置。
【請求項１４】
前記折り畳み支持手段はパネルハウジングの回転の中心に設けられたヒンジであることを特徴とする請求項１３記載のマルチディスプレイ装置。
【請求項１５】
前記平板表示素子はシャーシにより駆動回路基板及びパックライトと共にアセンブリされ、前記シャーシはパネルアセンブリの離脱及び流動を防止する固定部材とパネルアセンブリを一定の高さに維持する台部材を含むことを特徴とする請求項１記載のマルチディスプレイ装置。
【請求項１６】
前記平板表示素子の上部に設けられるタッチパネル若しくはキーボードになる入力手段をさらに含むことを特徴とする請求項１記載のマルチディスプレイ装置のケース。
【請求項１７】
前記光補償手段は平板表示素子の接境部を基準に互いに対称する構造を有し、前記平板表示素子の上部に一体形に設けることを特徴とする請求項１記載のマルチディスプレイ装置。
【請求項１８】
前記光補償手段は固定部材を備え、パネルハウジングには前記固定部材が挿入される結合溝を形成して構成されることを特徴とする請求項１７記載のマルチディスプレイ装置。
【請求項１９】
前記固定部材とパネルハウジングの間に弾性部材を連結することを特徴とする請求項１８記載のマルチディスプレイ装置。
【請求項２０】
前記パネルハウジングは光補償手段の固定部材がスライディングされて移動できるスライディング溝をさらに含むことを特徴とする請求項１８記載のマルチディスプレイ装置。
【請求項２１】
前記光補償手段は側面桟台を備え、パネルハウジングには前記側面桟台が挿入されることができる細部溝を設けることを特徴とする請求項１８記載のマルチディスプレイ装置。
【請求項２２】
接境部の細部溝がサイド側より広く設けられることを特徴とする請求項２１記載のマルチディスプレイ装置。
【請求項２３】
前記パネルハウジングに光補償手段が受納される受納部をさらに設けることを特徴とする請求項１７記載のマルチディスプレイ装置。
【請求項２４】
パネルハウジングの折り畳む時、その動きを光補償手段に伝える伝動手段をさらに含むことを特徴とする請求項１７記載のマルチディスプレイ装置。
【請求項２５】
パネルハウジングと連結されたヒンジの動きが光補償手段に伝達されるように構成することを特徴とする請求項２４記載のマルチディスプレイ装置。
【請求項２６】
前記パネルハウジングと連結されたヒンジはギヤーで形成されることを特徴とする請求項２５記載のマルチディスプレイ装置。
【請求項２７】
パネルハウジングが折られる場合、開口を通じて外部に露出される平板表示素子の側面と光補償手段を覆って保護するカバー手段をさらに含むことを特徴とする請求項１記載のマルチディスプレイ装置。
【発明の詳細な説明】
【０００１】
【技術分野】
本発明は複数表示素子を連結して一つの大画面を実現するマルチディスプレイ装置に関し、特に表示素子の接境部に形成される非表示領域を最小化および除去して画像の表示品質を向上させることができるマルチディスプレイ装置に関すると共に、本発明はマルチディスプレイ装置を折り畳む場合、外側に露出されて構造的に脆弱になる表示素子の接境部をカバーして保護できるマルチディスプレイ装置に関する。
【０００２】
【背景技術】
最近になって、携帯用情報機器の発達により携帯形コンピューターとディジタル無線通信および携帯用周辺装置などを用いたネットワーク接続環境とコンピューター業務との構築ができるようになった。
【０００３】
特に、携帯電話機、携帯形コンピューター（ノートブックコンピューター）およびＰＤＡ（Ｐｅｒｓｏｎａｌ Ｄｉｇｉｔａｌ Ａｓｓｉｓｔａｎｔｓ：個人用ディジタル補助器）などのような携帯用情報機器はプロセッサ性能の向上と無線インタネット機能などの附加によりその活用度が速やかに増加する傾向である。
【０００４】
しかしながら、携帯用情報機器は性能、附加機能および携帯移動性が大きくなる反面、情報を表示できる画面が小さい短所があるのに、これは無線インタネットなどの機能向上により大容量の動映像及び情報を表示する場合には力量が及ばないことになる。これによって、最近では少なくとも二つの表示素子を連結して一つの大画面を実現できるマルチディスプレイ装置が提案されている。
【０００５】
マルチディスプレイ装置にはＬＣＤ（ｌｉｑｕｉｄ ｃｒｙｓｔａｌ ｄｉｓｐｌａｙ）、ＴＦＴ（ｔｈｉｎ ｆｉｌｍ ｔｒａｎｓｉｓｔｏｒ）−ＬＣＤ、ＦＥＤ（ｆｉｅｌｄ ｅｍｉｓｓｉｏｎ ｄｉｓｐｌａｙ）、ＰＤＰ（ｐｌａｓｍａ ｄｉｓｐｌａｙ ｐａｎｅｌ）及びＥＬ（ｅｌｅｃｔｒｏ ｌｕｍｉｎｅｓｃｅｎｔ）などの平板表示素子を適用することができる。
【０００６】
しかしながら、従来のマルチディスプレイ装置によると、平板表示素子の接境部が互いに正確に一致されない場合があり、特に平板表示素子の間の接境部にはきっと密封剤としてシーラントが塗布されて、それによって画面の非表示領域が形成される問題点がある。このような非表示領域は、駆動時に画面が分離されて見られ、異質感をもたらして画面の表示品質を低下させるようになる。
【０００７】
また、従来のマルチディスプレイ装置は、画面の非表示領域を減らすために平板表示素子を最大に近接、あるいは接触しなければならない。その結果、平板表示素子の接境部が構造的に脆弱になり、外部の衝撃により易しく損傷される問題点が発生し得る。
【０００８】
【発明の開示】
本発明は前述した従来技術の問題点を解決するためのことで、複数表示素子を連結して一つの大画面を有するマルチディスプレイ装置を構成することにおいて、表示素子から出射される表示光を表示素子の接境部向けに屈折および光学的に補償して画面の非表示領域を最小化および除去することにより、画像の表示品質を向上させることができることをその目的とする。
【０００９】
また、本発明の他の目的は、マルチディスプレイを折り畳む場合に、外側に露出されて構造的に脆弱になる表示素子の接境部をカバーして保護することである。
【００１０】
前記の目的を達成するために、本発明は、一辺が互いに隣接配置されて一つの大画面を具現する少なくとも二つの平板表示素子と、前記の平板表示素子を各々受納支持するパネルハウジングと、前記平板表示素子から出射される表示光を接境部の中心向けに屈折させて画面の非表示領域を最小化および除去する光補償手段とからなるマルチディスプレイ装置を提供する。
【００１１】
望ましくは、光補償手段により屈折された両平板表示素子の表示光は、接境部の中心の延長線上で互いに会うように構成する。両平板表示素子の表示光が会う所には拡散板を設け、拡散板と光補償手段の間に導光板をさらに設ける。また、光補償手段と両平板表示素子の表示光が会う所の間に空間或いは導光板を設けることもできる。
【００１２】
この時、両平板表示素子の表示光の屈折地点から互いに会う地点までの距離（Ｂ）は、Ｂ＝Ａ／ｔａｎθ、Ａ＝０．１〜３ ｍｍ （Ａは一つの平板表示素子の非表示領域）、θ＝５〜８５°である。
【００１３】
前記光補償手段は平板表示素子の画面に対して所定角度の傾斜面を持つ透光屈折部材で形成する。なお、本発明において、液晶表示素子として平板表示素子を使用した際、光補償手段により補償された表示光の経路と偏光板の偏光軸が一致するようにする。
【００１４】
望ましくは、本発明の光補償手段は、接境部を基準にして割れて各々の平板表示素子の上部に対称構造で設ける。この時、光補償手段は平板表示素子の画面と接境部の側面を覆って保護するように構成することがよい。また、光補償手段の上部或いは下部に平板表示素子の画面と接境部の側面部分を覆ってカバーする透明保護部材をさらに設けることもできる。
【００１５】
本発明において、パネルハウジングは平板表示素子の一辺が互いに接するために、少なくとも一辺を切り取って開口を形成し、パネルハウジングが折れたり、少なくとも１８０°で広がるように連結支持する折り畳み支持手段としてヒンジを設ける。
【００１６】
前記パネルハウジングは平板表示素子を受納するハウジングボディーと、前記平板表示素子を上げて置かれるように形成された台部と、前記平板表示素子の周りの非表示領域を覆う上部カバーとからなる。
【００１７】
本発明において、平板表示素子はシャーシにより駆動回路基板及びパックライトと共にアセンブリされ、前記シャーシはパネルアセンブリの離脱及び移動を防止する固定部材とパネルアセンブリを一定の高さに維持する台部材を含む。
【００１８】
また、本発明のマルチディスプレイは、データ入力手段として平板表示素子の上部にタッチパネルを設けたり、別途のキーボードを連結して構成する。
【００１９】
本発明の他の実施形態として、光補償手段は平板表示素子の接境部を基準に互いに対称する構造を有し、前記平板表示素子の上部に一体形に設けることができる。
【００２０】
このような光補償手段は両端部に固定部材を設けて支持されるように構成し、パネルハウジングに前記固定部材が挿入される結合溝を形成される。また、固定部材とパネルハウジングの間に弾性部材を設ける。この時、パネルハウジングには光補償手段の固定部材がスライディングされて移動できるスライディング溝をさらに設ける。
【００２１】
また、前記光補償手段は曲ったり変形されるものを構造的に最小化するために側面桟台を備え、パネルハウジングには前記側面桟台が挿入されることができる細部溝を設ける。
【００２２】
前記パネルハウジングの細部溝は折り畳み動作時、接境部で光補償手段が容易に曲がるようにするためにサイド側より接境部の周りを広く設ける。一方、パネルハウジングには光補償手段が不必要な場合、受納及び避難される受納部をさらに設ける。
【００２３】
望ましくは、本発明においては、パネルハウジングの折り畳む時、その動きを光補償手段に伝える伝動手段をさらに含む。伝動手段はパネルハウジングと連結されたヒンジの動きが光補償手段に伝達されるように構成する。パネルハウジングと連結されたヒンジはギヤーで形成する。
【００２４】
また、本発明においては、パネルハウジングが折られる場合、開口を通じて外部に露出される平板表示素子の側面と光補償手段を覆って保護するカバー手段をさらに設ける。
【００２５】
望ましくは、本発明でパネルハウジングは各々分離及び再結合されるように構成することができる。
【００２６】
【発明の実施の形態】
本発明においては、マルチディスプレイ装置は少なくとも二つ以上の平板表示素子を互いに隣接されるように連結設置して一つの大画面を具現することができるようにし、携帯が容易になるように折り畳み式或いは分離式に構成し、共に光学補償手段を用いて平板表示素子の接境部の非表示領域を最小化及び除去する方案を提示している。
【００２７】
本発明で平板表示素子としてはＬＣＤ、ＦＥＤ、ＰＤＰ、ＥＬディスプレイ及び電子紙（Ｅｌｅｃｔｒｉｃ Ｐａｐｅｒ）などを適用することができる。以下、本発明を実現するための望ましい実施例を添付図面に基づいて説明する。
【００２８】
実施例１
図１乃至図３は本発明のマルチディスプレイ装置の折り畳む状態の構造を示している。図示した通り、本発明の折り畳み式マルチディスプレイ装置は、外観的に二つの平板表示素子２、４を両側に割れて各々受納するパネルハウジング２０、４０と、前記パネルハウジング２０、４０を完全に平行な状態に折り畳まれるようにしたり、少なくとも１８０°で広がるように結合支持する折り畳み支持手段６を含む。前記折り畳み支持手段６はパネルハウジング２０、４０の回転中心にヒンジを設けて構成する。
【００２９】
前記平板表示素子２、４は少なくとも一辺が互いに接するようにパネルハウジング２０、４０の内部に設けられ、このために前記パネルハウジング２０、４０は接境部の側壁の一部を開放して開口８を形成する。前記開口８はパネルハウジング２０、４０を折り畳む時、両平板表示素子２、４の接触された一つの辺と共に外部に露出される。
【００３０】
パネルハウジング２０、４０の内部に受納設けられる平板表示素子２、４の構造は次の通りである。
【００３１】
パネルハウジング２０、４０はボックス形に形成されて平板表示素子２、４を受納するハウジングボディー２２を含む。ハウジングボディー２２は上部が開放された形態であり、広げられた状態の平板表示素子２、４の一辺を支持して同時に接触されるように構成するために接境部側の側壁を截取して開口台部２２ａを形成する。従って、前記平板表示素子２、４の一辺は開口台部２２ａに安着された状態に開口８を通じて露出されて互いに接する。また、前記ハウジングボディー２２の内部には平板表示素子２、４を支持して一定の高さで維持するために台部１０を備える。台部１０は平板表示素子２、４を支持するために接境部の反対側の側壁２２ｂに突出物を付着して設置することができる。
【００３２】
この時、平板表示素子２、４は駆動ＩＣ２ａ、４ａ或いは駆動回路基板とパックライト２ｂ、４ｂを備える。その以外に本体回路基板が平板表示素子２、４の下部に位置され、これを支持するために前記ハウジングボディー２２には別途の台部１２を設けることができる。
【００３３】
図４はパネルハウジング２０、４０の内部に受納設けられる平板表示素子２、４の他の実施形態を示す。図面で平板表示素子２、４は駆動ＩＣ或いは駆動回路基板及びパックライトと共にアセンブリされてシャーシ１６により支持されてパネルアセンブリ２６を構成する。
【００３４】
このように構成されたパネルアセンブリ２６は、前述したように、パネルハウジング２０、４０の内部に受納されて開口台部２２ａに安着支持される。また、この実施形態では上述した台部１０の代りに前記シャーシ１６で下向形成される台部部材１６ａを形成することが構造的に有利である。
【００３５】
また、前記シャーシ１６はマルチディスプレイ装置の折り畳み動作時、パネルアセンブリ２６がハウジングボディー２２から離脱及び流動されることを防止するために固定部材１６ｂを備える。固定部材１６ｂは図示した通り、シャーシ１６で羽形に突出形成されたり、或いは図示しないが、下向突出される形態に構成することができる。
【００３６】
このように受納設置された平板表示素子２、４の上部にはカバー２４を設ける。カバー２４は開口台部２２ａ及び台部１０に安着支持された平板表示素子２、４の画面を除外した非表示領域を覆って遮る。また、前記カバー２４は前記二つの平板表示素子２、４が広げられた状態で一辺が互いに接するようにするために接境部側の辺が開放形成され、このような開放構造は開口８を設ける。
【００３７】
一方、本発明の特徴的な構成として、平板表示素子２、４の上部には接境部の周りの非表示領域を最小化及び除去するために光補償手段１４を設ける。
【００３８】
図５に図示したように、光補償手段１４は平板表示素子２、４から画面の前面に出射される表示光Ｌを接境部の側に屈折させて集めることにより本発明の目的を達成することができる。
【００３９】
より詳しくは、光補償手段１４は互いに違う媒質の境界で光が屈折される原理を用いることで、このために屈折媒質で樹脂及びプラスチックになる透光屈折部材を用い、表示光Ｌの屈折角度を一定に維持するために平板表示素子の表面に対して所定の傾斜角を有する多数の傾斜面１４ａを形成して構成される。
【００４０】
ここで、平板表示素子２、４でＬＣＤを用いる場合には、一対の基板２ｃ、４ｃの内面に少なくとも透明電極と図示省略した配向層を形成し、シーラントＳでシリングされた内部空間に液晶物質を注入して密封形成される。そして平板表示素子２、４の前後両側の所定位置には偏光板１８を付着する。前記偏光板１８は光補償手段１４の外側に設けることが良い。一方、平板表示素子２、４でＥＬディスプレイを用いる場合には、基板２ｃ、４ｃの間に有機発光層が形成される。
【００４１】
本発明による光屈折作用を図６に基づいて説明する。両平板表示素子２、４に出射された表示光Ｌは他の媒質である光補償手段１４に会ってその表面から対称的に屈折されて接境部の中心側に導かれ、接境部の延長線上の所定位置、即ち平板表示素子２、４の基板表面から所定の距離が離れた位置で会うようになる。この時、使用者は視角的に表示光Ｌが会う地点の以後を見るのでシーラントＳにより不可欠に発生される非表示領域を最小化及び除去することができるようになる。
【００４２】
一方、両平板表示素子２、４の表示光Ｌが会う位置は設計者の意図に従って自由に設定することができるのに、前記表示光Ｌの屈折始点から互いに会う地点までの距離ＢはＢ＝Ａ／ｔａｎθになる。この時、Ａは接境部の中心から一つの平板表示素子の非表示領域までの長さである。その長さは最小０．１〜３ｍｍである。また、平板表示素子の表面に対する屈折角θは５〜８５°の範囲とする。 光補償手段１４と表示光Ｌが会う地点との間は、空間に形成したり導光板１４ｂをさらに設置して構成することができる。
【００４３】
また、本発明では図７に図示したように、表示光Ｌが会う地点に拡散板１０２をさらに設けることができる。拡散板１０２は光補償手段１４により屈折された表示光Ｌが会う位置に設けられ、光補償手段１４により屈折、傾斜導かれた表示光Ｌをまた画面の前面に平行に出射されるように補償することにより表示品質を向上させる。
【００４４】
このような拡散板１０２は平板表示素子がＬＣＤである場合、偏光板１８の外部表面に付着することが望ましい。一方、本発明で表示光Ｌが出射される側に位置した偏光板１８はその偏光軸を調整する必要がある。即ち、図８に図示したように、光補償手段１４により補償された表示光の移動方向と偏光軸を一致させる時、表示光Ｌの透過率が最大になって表示品質をさらに向上させることができる。
【００４５】
一方、本発明では平板表示素子２、４の前側の画面と接境部側の開口をカバーして保護するように透明保護部材１０４をさらに設ける。透明保護部材１０４はポリカーボネート、ポリアクリルレート若しくはポリエチレンテレフタレートＰＥＴなどのような透明プラスチックを用いてフィルムの形態に製造したものであり、大略‘¬’字状に曲がって画面と接境部の側面を同時にカバーし、特に前記パネルハウジング２０が折り畳む場合、前記開口８を通じて外部に露出される平板表示素子２、４の側面を覆って保護し、平板表示素子２、４間の接触及び外部の異物質とか湿気の侵入を遮断する。
【００４６】
前記透明保護部材１０４は平板表示素子２、４の上部に後述する入力手段を設ける場合、その表面と側面をカバーするように接着剤を用いて付着される。また、透明保護部材１０４は‘⊂’字状に形成することができるし、これは保護部材の接着性を向上させるためのことである。
【００４７】
一方、透明保護部材１０４でフィルムを使用しなくて本発明の光補償手段１４を用いることもできる。この時、光補償手段１４は平板表示素子２、４の画面とその側面を同時にカバーして保護する。
【００４８】
また、本発明では入力手段としてタッチパネル１０６若しくは図示しないキーボードを用いることができる。タッチパネル１０６は平板表示素子２、４の上部に設け、この時、前記タッチパネル１０６の上部に透明保護部材１０４及び／または光補償手段１４を設ける。
【００４９】
タッチパネル１０６を用いる場合には、パネルハウジング２０、４０の内部にマイコムのようなデータ情報処理装置を設け、前記データ情報処理装置と駆動ＩＣ２ａ、４ａ及びタッチパネル１０６は互いにインタフェースを通じて連結する。また、入力手段としてキーボードを用いる場合には、外部インタフェースを通じて連結することができるし、パネルハウジング２０、４０に連結設ける。
【００５０】
実施例２
実施例２はマルチディスプレイ装置に装着される光補償手段１４の他の設置構造を示している。特に、実施例２では、光補償手段が平板表示素子２、４の接境部を基準に互いに対称する構造を有し、その上部に一体形に設けられる構造を提示する。
【００５１】
図９は本実施例を構成する光補償手段１４の一体形設置構造を例示している。図面を通じてわかるように、マルチディスプレイ装置はパネルハウジング２０、４０に受納された二つの平板表示素子２、４の上部に一体形に設けられた一つの光補償手段を設けている。この時、前記パネルハウジング２０、４０と光補償手段１４にはこれを結合また分離するための結合手段が具備される。
【００５２】
前記結合手段は、パネルハウジング２０、４０に形成された結合溝２０ａ、４０ａと一体形光補償手段１４に形成された固定枠１４２が結合し、平板表示素子２、４の上段に光補償手段１４が設置及び装着されるようにする。また、光補償手段１４の側面には側面桟台１４４を備えてフィルム形態の光補償手段１４が物理的信頼性を有するようにする。二つ以上のパネルハウジング２０、４０は互いに分離及び結合できるように構成され、また折り畳める多様な形態に構成することができる。
【００５３】
図１０は光補償手段１４を受納するための構造を示している。ここで、パネルハウジング２０、４０は互いに分離される構造であり、この時には光補償手段１４をパネルハウジング２０、４０で分離して別途受納する。このためにパネルハウジング２０、４０の一側に受納部３０を備え、光補償手段１４を巻物形態に巻いて受納及び避難されるようにする。
【００５４】
図１１乃至図１３はパネルハウジング２０、４０を折り畳むようにした構造を示している。図面でパネルハウジング２０、４０は折り畳み支持手段６により結合されて折り畳み式に回転される。従って、光補償手段１４もこれに合う装着構造を有する。このために光補償手段１４の固定枠１４２はパネルハウジング２０、４０の結合溝２０ａ，４０ａと結合されて固定される。
【００５５】
図１２は図１１の“Ａ”部分を拡大図示している。ここで、光補償手段１４の結合構造をより詳しく説明すると、パネルハウジング２０には光補償手段１４の固定枠１４２がスライディングされて移動できるスライディング溝及び細部溝２０４が形成されており、光補償手段１４の側面桟台１４４は前記細部溝２０４に挿入されて結合される。また、パネルハウジング２０の結合溝２０ａには光補償手段１４の固定枠１４２が結合溝２０ａで離脱されるのを防止する閉ざし部材２０ｂが具備される。
【００５６】
図１３は図１１の“Ｂ”部分を拡大図示している。平板表示素子２、４の接境部の細部溝２０４は接境部の中心部で広さがもっと広く形成される。接境部の付近の細部溝２０４がもっと広く形成されない場合には弾性材などを用いる構造にすることもできる。このように本実施例の光補償手段１４はパネルハウジング２０の上段で結合または分離できるように設置される。
【００５７】
図１４は折り畳み式マルチディスプレイ装置を折り畳む時の構造を示す。図示した通り、マルチディスプレイ装置を折り畳むと平板表示素子２、４の間の接境部が開いて広くなる。しかし、一体形になった光補償手段１４は分離されないので、結局スライディング溝２０２を通じて光補償手段１４の固定枠１４２が結合溝２０ａから接境部の側に移動する。
【００５８】
この時、前記光補償手段１４は一側のパネルハウジング２０に装着された部分のみ移動してそれに従う細部溝２０４に挿入された光補償手段１４の側面桟台１４４もスライディング移動する。
【００５９】
図１５はマルチディスプレイ装置の完全折り畳み状態を示す。マルチディスプレイ装置が折り畳まれた時には、カバー手段３２によりパネルハウジング２０、４０の開口及び平板表示素子２、４の側面が保護される。カバー手段３２は弾性部材３４により一側のパネルハウジング２０と連結され、レヒューズ部３６に受納及び避難される。
【００６０】
パネルハウジング２０、４０が折り畳まれる時、固定枠１４２は一側のパネルハウジング２０のスライディング溝２０２を通じて移動され、側面桟台１４４は細部溝２０４の内部でスライディング移動される。そして、光補償手段１４の曲げられた部分１４´は楕円形態に曲げられる時のみにフィルム形態になっている光補償手段１４の損傷を減らすことができる。このために接境部の細部溝２０４の広さがもっと広く形成され、望ましくは、折り畳まれる側に細部溝２０４の広さが広くなる（図１３参照）。
【００６１】
図１６では、光補償手段１４に弾性部材１４６が連結設置されることを示している。弾性部材１４６は固定枠１４２と一側のパネルハウジング２０の間に連結されて光補償手段１４のスライディング作動を手伝う。例えば、マルチディスプレイ装置が広がる時、光補償手段１４を接境部と反対方向に引く役割をする。従って、パネルハウジング２０、４０の両端に光補償手段１４が最大に広がるようになる。
【００６２】
図１７は図１５及び図１６の“Ｃ”部分を拡大図示したもので、光補償手段１４で折り畳まれる部分１４´の側面桟台１４４を現した構造である。側面桟台１４４を不連続的に作って曲がり易い構造に形成することを示している。側面桟台１４４の材質で合成樹脂を用い、固定枠１４２も合成樹脂を用いることが良い。
【００６３】
一方、光補償手段１４を平板表示素子２、４に最大に密着させるためには固定枠１４２の最下段にフィルム形態の光補償手段１４を付着することが良い。
【００６４】
図１８乃至図１９は本発明のマルチディスプレイ装置を構成する光補償手段１４のスライディング作動をより容易に実現するための伝動手段を示す。図面の通り、伝動手段はパネルハウジング２０、４０を折り畳む時、パネルハウジング２０、４０の動きが光補償手段１４に伝達されてスライディングされるように構成する。この時、パネルハウジング２０、４０と連結されたヒンジ６の動きが光補償手段１４に伝達されるようにする。
【００６５】
より具体的に、二つのパネルハウジング２０、４０が折り畳み形態に折り畳まれるためには、少なくともヒンジ６が二つの構造で分けるべきである。この時、一つの部分はギヤー軸６ｂにし、他の部分は一般軸６ａに構成する。また、ギヤー軸６ｂは一側のパネルハウジング２０と一体に形成し、一般軸６ａは他のパネルハウジング４０と一体に形成されるようにする。
【００６６】
従って、パネルハウジング２０、４０を折り畳むと、一側のパネルハウジング２０と連結されたギヤー軸６ｂが矢印方向に動くようになり、光補償手段１４はギヤー軸６ｂの動きを伝達受ける。このために側面桟台１４４には凹部１４４ａが形成されている。
【００６７】
ギヤー軸６ｂが矢印方向に動くと、伝達ギヤー６ｃは反対方向に動く。従って、この動きが凹部形状を有する光補償手段１４の側面桟台１４４に伝達されて光補償手段１４の固定枠１４２を接境部の方向に動くようにする。
【００６８】
このようにギヤー軸６ｂを用いて光補償手段１４を動く場合には、光補償手段１４の折り畳まれる部分１４´の大きさが、折り畳まれた状態で二つの平板表示素子２、４間の距離より大きくなるようにギヤーの歯間隙を調節する。このようにしてパネルハウジング２０、４０が折り畳まれる時、光補償手段１４が自然に折り畳まれて折り畳みに従う光補償手段１４の損傷を最小化することができる。
【００６９】
また、パネルハウジング２０、４０の動きを光補償手段に伝達する伝動手段として、前記ギヤー軸以外に動きとか動力を伝達するベンドなどを用いることができる。即ち、ベンドの一側をパネルハウジング２０、４０とかヒンジ６に連結して他側は光補償手段１４に連結して引くようにできる。
【００７０】
【産業上利用可能性】
以上のような前記実施例を通じて分かるように、本発明のマルチディスプレイ装置は複数表示素子を連結して一つの大画面を実現するマルチディスプレイ装置を具現することができる。
【００７１】
特に本発明によると、表示素子の接境部に必ず形成される非表示領域を最小化および除去して画像の表示品質を向上させることができる。共に、本発明はマルチディスプレイ装置を折り畳む場合、外側に露出されて構造的に脆弱になる表示素子の接境部をカバーして保護できる。
【図面の簡単な説明】
【図１】
本発明の実施例１によるマルチディスプレイ装置を図示した斜視図である。
【図２】
本発明の実施例１によるマルチディスプレイ装置を図示した斜視図である。
【図３】
実施例１の断面図である。
【図４】
実施例１の一側のパネルハウジングの分解斜視図である。
【図５】
実施例１を構成する平板表示素子の拡大断面図である。
【図６】
実施例１を構成する光補償手段の作用状態図である。
【図７】
実施例１を構成する平板表示素子の他の実施形態を示す断面図である。
【図８】
実施例１の偏光板の構造を図示した斜視図である。
【図９】
本発明の実施例２によるマルチディスプレイ装置を図示した斜視図である。
【図１０】
本発明の実施例２によるマルチディスプレイ装置を図示した斜視図である。
【図１１】
本発明の実施例２によるマルチディスプレイ装置を図示した斜視図である。
【図１２】
図１１の“Ａ”部分を拡大図示した斜視図である。
【図１３】
図１１の“Ｂ”部分を拡大図示した斜視図である。
【図１４】
実施例２によるマルチディスプレイ装置の折り畳まれる状態を図示した斜視図である。
【図１５】
実施例２の折り畳まれた状態を示す断面図である。
【図１６】
実施例２を構成する光補償手段の斜視図である。
【図１７】
図１６の“Ｃ”部分を拡大図示した斜視図である。
【図１８】
実施例２を構成する伝動手段を図示した一部斜視図である。
【図１９】
実施例２を構成する伝動手段を図示した一部斜視図である。
【符号の説明】
２：平板表示素子
４：平板表示素子
１４：光補償手段
２０：パネルハウジング
４０：パネルハウジング
Ｌ：表示光
【国際公開パンフレット】
2004510186.tif 000003
2004510186.tif 000004
2004510186.tif 000005
2004510186.tif 000006
2004510186.tif 000007
2004510186.tif 000008
2004510186.tif 000009
2004510186.tif 000010
2004510186.tif 000011
2004510186.tif 000012
2004510186.tif 000013
2004510186.tif 000014
2004510186.tif 000015
2004510186.tif 000016
2004510186.tif 000017
2004510186.tif 000018
2004510186.tif 000019
2004510186.tif 000020
2004510186.tif 000021
2004510186.tif 000022
2004510186.tif 000023
2004510186.tif 000024
2004510186.tif 000025
2004510186.tif 000026
2004510186.tif 000027
2004510186.tif 000028
2004510186.tif 000029
2004510186.tif 000030
2004510186.tif 000031
2004510186.tif 000032
2004510186.tif 000033
2004510186.tif 000034
2004510186.tif 000035
2004510186.tif 000036
2004510186.tif 000037
2004510186.tif 000038
2004510186.tif 000039
【国際調査報告】
2004510186.tif 000040
2004510186.tif 000041